(57)【要約】【課題】異なる発光色を呈する複数のＬＥＤチップから正しく目的とする発光色を得る。【解決手段】ＬＥＤチップ１３bの発光色はＡ色の色味が強く、ＬＥＤチップ１３cの発光色はＡ色の色味とＢ色の色味との強さが略半々であり、ＬＥＤチップ１３aの発光色はＡ色の色味の方がＢ色の色味よりもやや強い場合に、ＬＥＤチップ１３a,１３cに、Ａ色の波長を吸収して補色(または異なる色)であるＣ色に波長変換する蛍光体を含有する波長変換材１５aと、Ｃ色の波長を吸収して上記Ａ色に波長変換する蛍光体を含有する波長変換材１５bとを、夫々異なるノズルから供給する。したがって、ＬＥＤチップ１３a,１３cにおけるＡ色の色味とＢ色の色味との強さのバランスの違いに応じて、供給される波長変換材１５a,１５bの量のバランスを変更することにより、各波長変換部１４a〜１４cの夫々から出射される光の色を目標とする発光色に揃えることができる。【選択図】図２
2015092519.tif 000002
【特許請求の範囲】
【請求項１】
２以上の異なる発光色を呈する２個以上の発光ダイオードチップと、
上記異なる発光色を呈する発光ダイオードチップの夫々を封止する互いに異なる波長変換特性を有する波長変換部と
を備え、
上記波長変換部は、封止している上記発光ダイオードチップから放射される光のうち互いに異なる波長成分の光を吸収して他の波長成分の光に変換する複数の蛍光体を含んでいる
ことを特徴とする発光装置。
【請求項２】
請求項１に記載の発光装置において、
上記２以上の異なる発光色のうちの少なくとも１つの発光色を呈する発光ダイオードチップは、２個以上の発光ダイオードチップで成り、
上記１つの発光色を呈する２個以上の発光ダイオードチップのうちの互いに隣接する発光ダイオードチップは、同一の波長変換特性を有する上記波長変換部によって連続して封止されている
ことを特徴とする発光装置。
【請求項３】
請求項２に記載の発光装置において、
上記１つの発光色を呈する２個以上の発光ダイオードチップのうちの上記同一の波長変換特性を有する波長変換部によって連続して封止されている発光ダイオードチップとは異なる発光ダイオードチップは、上記同一の波長変換特性を有する波長変換部と同一の波長変換特性を有する波長変換部で封止されている
ことを特徴とする発光装置。
【請求項４】
請求項１から請求項３までの何れか一つに記載の発光装置において、
上記互いに異なる波長変換特性を有する波長変換部は、互いに連続して形成されている
ことを特徴とする発光装置。
【請求項５】
請求項１から請求項４までの何れか一つに記載の発光装置において、
上記各発光ダイオードチップから上記波長変換部を介して放射される光の色は、総て同じ色である
ことを特徴とする発光装置。
【請求項６】
請求項１から請求項５までの何れか一つに記載の発光装置において、
上記波長変換部は、含まれている上記複数の蛍光体の割合を、封止している上記発光ダイオードチップの発光色に応じた割合にすることによって、上記波長変換特性が設定されている
ことを特徴とする発光装置。
【請求項７】
請求項１から請求項５までの何れか一つに記載の発光装置において、
上記波長変換部は、含まれている上記複数の蛍光体の割合を、封止している上記発光ダイオードチップの発光色に応じた割合にすると共に、当該発光ダイオードチップを封止する厚みを、当該発光ダイオードチップの発光色に応じた厚みにすることによって、上記波長変換特性が設定されている
ことを特徴とする発光装置。
【発明の詳細な説明】
【技術分野】
【０００１】
この発明は、複数のＬＥＤ(Light Emitting Diode：発光ダイオード)チップを搭載した発光装置に関する。
【背景技術】
【０００２】
近年、ＬＥＤを搭載した発光装置が、省電力の点から液晶パネルのバックライトモジュールとして広く利用されている。
【０００３】
上記バックライトモジュール等においては、一定の発光色である必要があるために、搭載するＬＥＤデバイスを特定の色のＬＥＤデバイスのみにする方法や、図２１に示すように、いくつかの決まった色のＬＥＤチップ１,２を組み合わせて搭載することによって発光装置からの平均的な発光色を一定にする方法が採用される。
【０００４】
また、特開２００６‐３０３１４０号公報(特許文献１)では、図２２に示すように、発光装置５の発光装置本体８に直接ＬＥＤチップ６を搭載した状態で、ＬＥＤチップ６の発光特性を計測してランク分けする。一方、波長変換部７は、予めＬＥＤチップ６のランクに対応させて各ランク毎に設計製作しておく。そして、ＬＥＤチップ６に対して上記ランクに応じて適切な波長変換部７を選択して組合せ、このような発光装置５を複数用いた発光装置ユニットの発光色を一定にすることが提案されている。
【０００５】
しかしながら、上記従来の搭載するＬＥＤデバイスを特定の色のＬＥＤデバイスのみにする方法や、決まった色のＬＥＤチップ１,２のみを組み合わせる方法の場合には、発光装置に使用できるＬＥＤデバイスやＬＥＤチップの種類が限定されてしまい、使用できないＬＥＤデバイスやＬＥＤチップが発生するという問題がある。
【０００６】
また、上記特許文献１に開示された発光装置ユニットにおいては、ＬＥＤチップ６を搭載した後の計測結果によって、組合せ得る波長変換部７が無いと判定された場合には、ＬＥＤチップ６を搭載した状態で不良となり、破棄あるいはリワークによってＬＥＤチップ６を交換する必要があるという問題がある。
【先行技術文献】
【特許文献】
【０００７】
【特許文献１】特開２００６‐３０３１４０号公報
【発明の概要】
【発明が解決しようとする課題】
【０００８】
そこで、この発明の課題は、異なる発光色を呈する複数のＬＥＤチップから正しく目的とする発光色を得ることができる発光装置を提供することにある。
【課題を解決するための手段】
【０００９】
上記課題を解決するため、この発明の発光装置は、
２以上の異なる発光色を呈する２個以上のＬＥＤチップと、
上記異なる発光色を呈するＬＥＤチップの夫々を封止する互いに異なる波長変換特性を有する波長変換部と
を備え、
上記波長変換部は、封止している上記ＬＥＤチップから放射される光のうち互いに異なる波長成分の光を吸収して他の波長成分の光に変換する複数の蛍光体を含んでいる
ことを特徴としている。
【００１０】
上記構成によれば、２以上の異なる発光色を呈する２個以上のＬＥＤチップの夫々を、上記ＬＥＤチップから放射される光のうち互いに異なる波長成分の光を吸収して他の波長成分の光に変換する複数の蛍光体を含む互いに異なる波長変換特性を有する波長変換部によって封止している。したがって、上記波長変換部の波長変換特性を、上記複数の蛍光体の割合を変更することによって、上記波長変換部を介して放射される光の色が目的とする色になるように設定すれば、異なる発光色を呈する複数のＬＥＤチップから正しく目的とする発光色を得ることができる。
【００１１】
すなわち、この発明によれば、使用する上記ＬＥＤチップに応じて上記波長変換部の波長変換特性を設定することができるので、使用できないＬＥＤチップが発生するのを防止できる。したがって、破棄あるいはリワークによってＬＥＤチップを交換する必要も生じない。
【００１２】
また、１実施の形態の発光装置では、
上記２以上の異なる発光色のうちの少なくとも１つの発光色を呈するＬＥＤチップは、２個以上のＬＥＤチップで成り、
上記１つの発光色を呈する２個以上のＬＥＤチップのうちの互いに隣接するＬＥＤチップは、同一の波長変換特性を有する上記波長変換部によって連続して封止されている。
【００１３】
この実施の形態によれば、１つの発光色を呈する互いに隣接するＬＥＤチップを、同一の波長変換特性を有する上記波長変換部によって連続して封止している。したがって、上記互いに隣接するＬＥＤチップを、同一の波長変換特性を有する上記波長変換部によって個別に封止する場合に比して、工数の低減を図ることができ、コストダウンを図ることができる。
【００１４】
また、１実施の形態の発光装置では、
上記１つの発光色を呈する２個以上のＬＥＤチップのうちの上記同一の波長変換特性を有する波長変換部によって連続して封止されているＬＥＤチップとは異なるＬＥＤチップは、上記同一の波長変換特性を有する波長変換部と同一の波長変換特性を有する波長変換部で封止されている。
【００１５】
この実施の形態によれば、上記１つの発光色を呈する互いに隣接するＬＥＤチップ以外のＬＥＤチップに関しても、同一の波長変換特性を有する波長変換部で封止することによって、より正しく目的とする発光色を得ることができる。
【００１６】
また、１実施の形態の発光装置では、
上記互いに異なる波長変換特性を有する波長変換部は互いに連続して形成されている。
【００１７】
この実施の形態によれば、互いに異なる波長変換特性を有する波長変換部をも互いに連続して形成するので、個別に形成する場合に比して工数の更なる低減を図ることができ、コストダウンを図ることができる。
【００１８】
また、１実施の形態の発光装置では、
上記各ＬＥＤチップから上記波長変換部を介して放射される光の色は、総て同じ色である。
【００１９】
この実施の形態によれば、上記各ＬＥＤチップから上記波長変換部を介して放射される光の色は、総て同じ色であるので、液晶パネルのバックライトモジュールとして使用可能となる。
【００２０】
また、１実施の形態の発光装置では、
上記波長変換部は、含まれている上記複数の蛍光体の割合を、封止している上記ＬＥＤチップの発光色に応じた割合にすることにより、上記波長変換特性が設定されている。
【００２１】
この実施の形態によれば、上記波長変換部に含まれる上記複数の蛍光体の割合を上記ＬＥＤチップの発光色に応じた割合にすることによって、上記各波長変換部における上記波長変換特性が設定されている。したがって、上記ＬＥＤチップを上記波長変換部で封止する際に、例えば第１の蛍光体を含む波長変換材と第２の蛍光体を含む波長変換材との供給量の割合を変更することによって、当該波長変換部の波長変換特性を当該ＬＥＤチップの発光色に応じた特性に設定することができる。
【００２２】
その結果、使用する上記ＬＥＤチップに応じて上記波長変換部の波長変換特性を設定することが容易に可能になり、異なる発光色を呈する複数のＬＥＤチップから正しく目的とする発光色を得ることができる。
【００２３】
また、１実施の形態の発光装置では、
上記波長変換部は、含まれている上記複数の蛍光体の割合を、封止している上記ＬＥＤチップの発光色に応じた割合にすると共に、当該ＬＥＤチップを封止する厚みを、当該ＬＥＤチップの発光色に応じた厚みにすることによって、上記波長変換特性が設定されている。
【００２４】
この実施の形態によれば、上記波長変換部に含まれる上記複数の蛍光体の割合を上記ＬＥＤチップの発光色に応じた割合にすると共に、当該波長変換部の厚みを当該ＬＥＤチップの発光色に応じた厚みにすることによって、上記各波長変換部における上記波長変換特性が設定されている。したがって、上記ＬＥＤチップを上記波長変換部で封止するに際して、例えば第１の蛍光体を含む波長変換材と第２の蛍光体を含む波長変換材との供給量の割合を変更することによって、当該波長変換部の波長変換特性を当該ＬＥＤチップの発光色に応じた特性に大まかに設定すると共に、当該ＬＥＤチップ上における当該波長変換部の厚みを当該ＬＥＤチップの発光色に応じて調整することによって、当該波長変換部の波長変換特性を、当該ＬＥＤチップの発光色に応じた特性に、より正確に設定することができる。
【発明の効果】
【００２５】
以上より明らかなように、この発明の発光装置は、２以上の異なる発光色を呈する２個以上のＬＥＤチップの夫々を、上記ＬＥＤチップから放射される光のうち互いに異なる波長成分の光を吸収する複数の蛍光体を含む、互いに異なる波長変換特性を有する波長変換部によって封止している。したがって、上記波長変換部の波長変換特性を、上記複数の蛍光体の割合を変更することによって、上記波長変換部を介して放射される光の特定色が目的とする色になるように設定することができ、異なる発光色を呈する複数のＬＥＤチップから正しく目的とする発光色を得ることができる。
【００２６】
すなわち、この発明によれば、使用する上記ＬＥＤチップに応じて上記波長変換部の波長変換特性を設定することができるので、使用できないＬＥＤチップが発生するのを防止できる。したがって、破棄あるいはリワークによってＬＥＤチップを交換する必要も生じない。
【図面の簡単な説明】
【００２７】
【図１】この発明の第１実施の形態の発光装置における縦断面図である。
【図２】図１に示す発光装置の製造方法を示す図である。
【図３】第２実施の形態の発光装置における縦断面図である。
【図４】図３に示す発光装置の製造方法を示す図である。
【図５】第３実施の形態の発光装置における縦断面図である。
【図６】図５に示す発光装置の製造方法を示す図である。
【図７】図６に続く製造方法を示す図である。
【図８】第３実施の形態の変形例における縦断面図である。
【図９】図８に示す発光装置の製造方法を示す図である。
【図１０】第４実施の形態の発光装置における縦断面図である。
【図１１】図１０に示す発光装置の製造方法を示す図である。
【図１２】第５実施の形態の発光装置における縦断面図である。
【図１３】図１２に示す発光装置の製造方法を示す図である。
【図１４】第６実施の形態の発光装置における縦断面図である。
【図１５】図１４に示す上記発光装置の製造方法を示す図である。
【図１６】図１５に続く製造方法を示す図である。
【図１７】第６実施の形態の変形例における縦断面図である。
【図１８】図１７に示す発光装置の製造方法を示す図である。
【図１９】図１８に続く製造方法を示す図である。
【図２０】図１５および図１６に示す製造方法の変形例を示す図である。
【図２１】従来のバックライトモジュールを示す図である。
【図２２】特許文献１に開示された発光装置ユニットを示す図である。
【発明を実施するための形態】
【００２８】
以下、この発明を図示の実施の形態により詳細に説明する。
【００２９】
・第１実施の形態
図１は、本実施の形態の発光装置における縦断面図である。本実施の形態における発光装置１１は、図１に示すように、基板１２上に２個以上(本実施の形態では３個)のＬＥＤチップ１３a〜１３cが搭載されており、各ＬＥＤチップ１３a〜１３cは、夫々異なる発光色を呈している。そして、各ＬＥＤチップ１３a〜１３cは、夫々変換波長が異なる波長変換部１４a〜１４cで覆われて、目標とする発光色の光を放射するようになっている。ここで、上記波長変換部１４aは、ＬＥＤチップ１３aから放射される特定波長成分の光を吸収して異なる波長の光を発生する蛍光体を含有している。他の波長変換部１４b,１４cも同様に、ＬＥＤチップ１３b,１３cから放射される特定波長成分の光を吸収して異なる波長の光を発生する蛍光体を含有しており、その結果、各波長変換部１４a〜１４cからは同じ上記目標とする発光色の光が出射されるのである。
【００３０】
図２は、図１に示す発光装置１１の製造方法を示す。発光装置１１の製造方法においては、先ず、図２(a)に示すように、基板１２上に、発光特性が既知であるＬＥＤチップ１３a〜１３cを、例えばフリップチップ実装法等によって実装する。次に、図２(b)に示すように、夫々のＬＥＤチップ１３a〜１３cに対して、互いに異なる波長変換特性を有する波長変換材１５a,１５bを供給する。
【００３１】
ここで、例えば、上記ＬＥＤチップ１３bの発光色はＡ色の色味が強く、ＬＥＤチップ１３cの発光色はＡ色の色味とＢ色の色味との強さが略半々であり、ＬＥＤチップ１３aの発光色はＡ色の色味の方がＢ色の色味よりもやや強いとする。その場合には、図２(b)に示すように、ＬＥＤチップ１３bには、Ａ色の波長成分を吸収してＡ色の補色(あるいは異なる色)であるＣ色の波長成分に波長変換する蛍光体を含有する波長変換材１５aのみを、ノズル１６bから供給する。尚、上記Ｂ色は、上記Ａ色と上記Ｃ色との中間色である。
【００３２】
また、上記ＬＥＤチップ１３cには、上記波長変換材１５aをノズル１６cから供給する一方、Ｃ色の波長成分を吸収してＣ色の補色(あるいは異なる色)であるＡ色の波長成分に波長変換する蛍光体を含有する波長変換材１５bをノズル１６c'から波長変換材１５aと略同量だけ供給する。また、ＬＥＤチップ１３aには、波長変換材１５aをノズル１６aから供給する一方、波長変換材１５bをノズル１６a'から波長変換材１５aよりも少ない量で供給する。
【００３３】
ここで、上記ノズル１６a,１６a',１６b,１６c,１６c'の先端に描かれている波長変換材１５a,１５bの大きさで、供給量を表現している。以下、図４,図１１,図１３においても同様である。
【００３４】
そして、図２(c)に示すように、ＬＥＤチップ１３bに供給された波長変換材１５aは、波長変換部１４bとなる。また、ＬＥＤチップ１３cに略同量供給された波長変換材１５aと波長変換材１５bとは、波長変換部１４cとなる。また、ＬＥＤチップ１３aに供給された波長変換材１５aと波長変換材１５aよりも少ない量の波長変換材１５bとは、波長変換部１４aとなる。
【００３５】
その場合、上記ＬＥＤチップ１３aとＬＥＤチップ１３cとには、Ａ色の波長成分を吸収してＡ色の補色(あるいは異なる色)であるＣ色の波長成分に波長変換する蛍光体を含有する波長変換材１５aと、Ｃ色の波長成分を吸収してＣ色の補色(あるいは異なる色)であるＡ色の波長成分に波長変換する蛍光体を含有する波長変換材１５bとを、夫々異なるノズルから供給するようにしている。したがって、ＬＥＤチップ１３aとＬＥＤチップ１３cとにおけるＡ色の色味とＢ色の色味との強さのバランスの違いに応じて、供給される波長変換材１５aと波長変換材１５bとの量のバランスを変更することによって、各波長変換部１４a〜１４cの夫々から出射される光の色を目標とする発光色に揃えることができるのである。さらに、ＬＥＤチップ１３a〜１３cの発光色に起因する発光装置１１の不良を低減することができる。
【００３６】
すなわち、本実施の形態においては、上記波長変換部１４a〜１４cの波長変換特性は、含まれている複数の波長変換特性の蛍光体の割合を、封止しているＬＥＤチップの発光色に応じた割合にすることによって設定されるのである。
【００３７】
その結果、本実施の形態によれば、目標とする色のＬＥＤデバイスのみを用いる方法や決まった色のＬＥＤチップのみを組み合わせて用いる方法の場合のごとく、使用できないＬＥＤチップが発生することはない。さらに、上記ＬＥＤデバイスや上記ＬＥＤチップを実装した後に目標とは異なる発光色となった場合に、得られた発光装置を破棄したりリワークによって上記ＬＥＤデバイスや上記ＬＥＤチップを交換する必要もない。また、上記特許文献１に開示された発光装置ユニットの場合のごとく、事前に準備した波長変換部の中に組合せ得る波長変換部が無いため破棄あるいはリワークする必要もなくなる。
【００３８】
・第２実施の形態
図３は、本実施の形態の発光装置における縦断面図である。本実施の形態における発光装置２１は、図３に示すように、基板２２上に２個以上(本実施の形態では３個)のＬＥＤチップ２３a〜２３cが搭載されている。但し、本実施の形態においては、上記３個のＬＥＤチップ２３a〜２３cのうちの互いに隣接する２個以上(本実施の形態では２個)のＬＥＤチップ２３a,２３bが同等の発光色であり、他の１個以上(本実施の形態では１個)のＬＥＤチップ２３cは異なる発光色を呈している。
【００３９】
そして、上記互いに隣接する２個のＬＥＤチップ２３a,２３bは変換波長が同じ波長変換部２４aで覆われて、目標とする発光色の光を放射するようになっている。また、残りの１個のＬＥＤチップ２３cは、波長変換部２４aとは変換波長が異なる波長変換部２４bで覆われて、上記目標とする発光色の光を放射するようになっている。
【００４０】
ここで、上記波長変換部２４aは、ＬＥＤチップ２３a,２３bから放射される特定波長成分の光を吸収して異なる波長の光を発生する蛍光体を含有している。また、他の波長変換部２４bも同様に、ＬＥＤチップ２３cから放射される特定波長成分の光を吸収して異なる波長の光を発生する蛍光体を含有している。その結果、各波長変換部２４a,２４bからは同じ上記目標とする発光色の光が出射されるのである。
【００４１】
図４は、図３に示す発光装置２１の製造方法を示す。先ず、図４(a)に示すように、基板２２上に、発光特性が既知であるＬＥＤチップ２３a〜２３cを、例えばフリップチップ実装法等によって実装する。次に、図４(b)に示すように、ＬＥＤチップ２３aとＬＥＤチップ２３cとに対して、互いに異なる波長変換特性を有する波長変換材２５a,２５bを供給する。
【００４２】
ここで、例えば、上記ＬＥＤチップ２３cの発光色はＡ色の色味とＢ色の色味との強さが略半々であり、ＬＥＤチップ２３a,２３bの発光色はＡ色の色味の方がＢ色の色味よりもやや強いとする。その場合には、図４(b)に示すように、ＬＥＤチップ２３cには、Ａ色の波長成分を吸収してＡ色の補色(または異なる色)であるＣ色の波長成分に波長変換する蛍光体を含有する波長変換材２５aをノズル２６bから供給する一方、Ｃ色の波長成分を吸収してＣ色の補色(あるいは異なる色)であるＡ色の波長成分に波長変換する蛍光体を含有する波長変換材２５bをノズル２６b'から波長変換材２５aと略同量だけ供給する。また、ＬＥＤチップ２３aには、波長変換材２５aをノズル２６aから供給する一方、波長変換材２５bをノズル２６a'から波長変換材２５aよりも少ない量で供給する。
【００４３】
次に、図４(c)に示すように、上記ＬＥＤチップ２３cに対するノズル２６bからの波長変換材２５aの供給とノズル２６b'からの波長変換材２５bの供給とを終了する。そして、ＬＥＤチップ２３cに同量供給された波長変換材２５aと波長変換材２５bとは、波長変換部２４bとなる。これに対して、波長変換材２５aを供給しているノズル２６aと波長変換材２５bを供給しているノズル２６a'とは、ＬＥＤチップ２３aに隣接するＬＥＤチップ２３b側に移動される。そして、ＬＥＤチップ２３bに、波長変換材２５aをノズル２６aから供給する一方、波長変換材２５bをノズル２６a'から波長変換材２５aよりも少ない量で供給する。その間、ＬＥＤチップ２３aに供給された波長変換材２５aと波長変換材２５bとは、波長変換部２４aとなる。
【００４４】
次に、図４(d)に示すように、上記ＬＥＤチップ２３bに対するノズル２６aからの波長変換材２５aの供給と、ノズル２６a'からの波長変換材２５bの供給とを終了する。こうして、供給された波長変換材２５aと波長変換材２５bとは、波長変換部２４aとなる。その結果、互いに隣接すると共に同等の発光色を放射するＬＥＤチップ２３aとＬＥＤチップ２３bとは、同じ波長変換特性の波長変換部２４aで覆われることになる。
【００４５】
その場合、上記ＬＥＤチップ２３a〜２３cには、Ａ色の波長成分を吸収してＡ色の補色(あるいは異なる色)であるＣ色の波長成分に波長変換する蛍光体を含有する波長変換材２５aと、Ｃ色の波長成分を吸収してＣ色の補色(あるいは異なる色)であるＡ色の波長成分に波長変換する蛍光体を含有する波長変換材２５bとを、夫々異なるノズルから供給するようにしている。したがって、ＬＥＤチップ２３a,２３bとＬＥＤチップ２３cとにおけるＡ色の色味とＢ色の色味との強さのバランスの違いに応じて、供給する波長変換材２５aと波長変換材２５bとの量のバランスを変更することにより、各波長変換部２４a〜２４cの夫々から出射される光の色を上記目標とする発光色に揃えることができるのである。さらに、ＬＥＤチップ２３a〜２３cの発光色に起因する発光装置２１の不良を低減することができる。
【００４６】
さらに、互いに隣接すると共に、同等の発光色を放射するＬＥＤチップ２３aとＬＥＤチップ２３bとは、互いに同期して移動するノズル２６aとノズル２６a'とから、波長変換材２５aと波長変換材２５bとを連続して供給して封止するようにしている。したがって、ＬＥＤチップ２３aとＬＥＤチップ２３bとに個別に供給して封止する場合に比して、工数の低減を図ることが可能になる。
【００４７】
尚、本実施の形態においては、同等の発光色を放射するＬＥＤチップは互いに隣接する２個のＬＥＤチップ２３a,２３bであるとして説明しているが。本実施の形態が適用できる発光装置は、これに限定されるものではない。例えば、同等の発光色を放射するＬＥＤチップとして、互いに隣接するｎ(ｎ≧２)個のＬＥＤチップとこれらとは分離したｍ個のＬＥＤチップとが在る場合に、上記互いに隣接するｎ個のＬＥＤチップは移動するノズルによって同一の波長変換材を連続して供給して封止し、分離したｍ個のＬＥＤチップは個々に上記同一の波長変換材を供給して封止してもよい。その場合、上記互いに隣接するｎ個のＬＥＤチップのうちのｎ'個は、(ｎ−ｎ')個とは別に上記同一の波長変換材を供給して封止してもよい。
【００４８】
・第３実施の形態
図５は、本実施の形態の発光装置における縦断面図である。本実施の形態における発光装置３１は、図５に示すように、基板３２上に２個以上(本実施の形態では３個)のＬＥＤチップ３３a〜３３cが搭載されており、各ＬＥＤチップ３３a〜３３cは、夫々異なる発光色を呈している。そして、各ＬＥＤチップ３３a〜３３cは、夫々変換波長が異なる波長変換部３４a〜３４cで連続して覆われて、目標とする発光色の光を放射するようになっている。ここで、波長変換部３４aは、ＬＥＤチップ３３aから放射される特定波長成分の光を吸収して異なる波長の光を発生する蛍光体を含有している。他の波長変換部３４b,３４cも同様に、ＬＥＤチップ３３b,３３cから放射される特定波長成分の光を吸収して異なる波長の光を発生する蛍光体を含有しており、その結果、各波長変換部３４a〜３４cからは同じ上記目標とする発光色の光が出射されるのである。
【００４９】
図６および図７は、図５に示す発光装置３１の製造方法を示す。先ず、図６(a)に示すように、基板３２上に、発光特性が既知であるＬＥＤチップ３３a〜３３cを、例えばフリップチップ実装法等によって実装する。
【００５０】
ここで、例えば、上記ＬＥＤチップ３３bの発光色はＡ色の色味が強く、ＬＥＤチップ３３aの発光色はＡ色の色味の方がＢ色の色味よりもやや強く、ＬＥＤチップ３３cの発光色はＡ色の色味の方がＢ色の色味よりもやや弱いとする。その場合には、ＬＥＤチップ３３bには、Ａ色の波長成分を吸収してＡ色の補色(または異なる色)であるＣ色の波長成分に波長変換する蛍光体を含有する波長変換材３５aのみを供給する。また、ＬＥＤチップ３３aには、波長変換材３５aを供給する一方、Ｃ色の波長成分を吸収してＣ色の補色(あるいは異なる色)であるＡ色の波長成分に波長変換する蛍光体を含有する波長変換材３５bを波長変換材３５aよりも少ない量で供給する。また、ＬＥＤチップ３３cには、波長変換材３５aを供給する一方、波長変換材３５bを波長変換材３５aよりも多い量で供給すればよい。
【００５１】
つまり、上記ＬＥＤチップ３３a〜３３cの何れにも、同じ波長変換材３５aと波長変換材３５bとを単に量を換えて供給すればよい。そこで、本実施の形態においては、総てのＬＥＤチップ３３a〜３３cに対して、波長変換材３５aを供給するノズル３６aと波長変換材３５bを供給するノズル３６bとを連続して移動させながら、供給量を変化させて、波長変換部３４a〜３４cを連続して形成するのである。
【００５２】
ここで、上記ノズル３６a,３６bに付随して描かれた矢印の大きさで、供給量を表現している。以下、図９,図１５,図１６,図１８,図１９においても同様である。
【００５３】
先ず、図６(b)に示すように、上記波長変換材３５aを供給するノズル３６aと波長変換材３５bを供給するノズル３６bとを、ＬＥＤチップ３３a側からＬＥＤチップ３３b側に移動させながら、図６(c)に示すように、ＬＥＤチップ３３aに対し、波長変換材３５aをノズル３６aから供給する一方、波長変換材３５bをノズル３６bから波長変換材３５aよりも少ない量で供給する。こうして、ＬＥＤチップ３３a上に波長変換部３４aが形成される。
【００５４】
次に、上記ノズル３６aとノズル３６bとが、ＬＥＤチップ３３aとＬＥＤチップ３３bとの中間位置に至ると、ノズル３６bからの波長変換材３５bの供給を停止し、図７(d)に示すように、ＬＥＤチップ３３bに対して、波長変換材３５aのみをノズル３６aから供給する。こうして、ＬＥＤチップ３３b上に波長変換部３４bが形成される。
【００５５】
次に、上記ノズル３６aとノズル３６bとが、ＬＥＤチップ３３bとＬＥＤチップ３３cとの中間位置に至ると、ノズル３６bからの波長変換材３５bの供給を開始し、図７(e)に示すように、ＬＥＤチップ３３cに対して、波長変換材３５aをノズル３６aから供給する一方、波長変換材３５bをノズル３６bから波長変換材３５aより多い量で供給する。こうして、ＬＥＤチップ３３c上に波長変換部３４cが形成される。
【００５６】
こうして、図７(f)に示すように、ＬＥＤチップ３３a〜３３cは、夫々異なる波長変換特性の波長変換部３４a〜３４cで連続して覆われる。
【００５７】
その場合、上記ＬＥＤチップ３３a〜３３cには、Ａ色の波長成分を吸収してＡ色の補色(あるいは異なる色)であるＣ色の波長成分に波長変換する蛍光体を含有する波長変換材３５aと、Ｃ色の波長成分を吸収してＣ色の補色(あるいは異なる色)であるＡ色の波長成分に波長変換する蛍光体を含有する波長変換材３５bとを、夫々異なるノズル３６a,３６bから供給するようにしている。したがって、ＬＥＤチップ３３a〜３３cにおけるＡ色の色味とＢ色の色味との強さのバランスの違いに応じて、供給される波長変換材３５aと波長変換材３５bとの量のバランスを変更することによって、各波長変換部３４a〜３４cの夫々から出射される光の色を上記目標とする発光色に揃えることができる。さらには、ＬＥＤチップ３３a〜３３cの発光色に起因する発光装置２の不良を低減することができるのである。
【００５８】
さらに、上記総てのＬＥＤチップ３３a〜３３cに対して、互いに同期して移動するノズル３６aとノズル３６bとから、波長変換材３５aと波長変換材３５bとを量を変えて連続して供給して封止するようにしている。したがって、工数のさらなる低減を図ることが可能になる。
【００５９】
本実施の形態における変形例として、図８に示す発光装置４１のように、基板４２上に実装されたＬＥＤチップ４３a〜４３cのうちの互いに隣接するＬＥＤチップ４３a,４３bが同等の発光色であり、他のＬＥＤチップ４３cは異なる発光色を呈している場合には、波長変換材４５aを供給するノズル４６aと波長変換材４５bを供給するノズル４６bとを、ＬＥＤチップ４３a側からＬＥＤチップ４３b側に移動させながら、図９(b),図９(c)に示すように、ＬＥＤチップ４３aおよびＬＥＤチップ４３bに対して、波長変換材４５aをノズル４６aから供給する一方、波長変換材４５bをノズル４６bから波長変換材４５aよりも少ない量で供給する。こうして、ＬＥＤチップ４３aおよびＬＥＤチップ４３b上に波長変換部４４aが形成される。
【００６０】
さらに、上記ノズル４６aとノズル４６bとが、ＬＥＤチップ４３bとＬＥＤチップ４３cとの中間位置に至ると、図９(d)に示すように、ＬＥＤチップ４３cに対して、波長変換材４５aをノズル４６aから供給する一方、波長変換材４５bをノズル４６bから波長変換材４５aより多い量で供給する。こうして、ＬＥＤチップ４３c上に波長変換部４４bが形成される。
【００６１】
以上のようにして、図９(e)に示すように、ＬＥＤチップ４３a〜４３cは、互いに同期して移動するノズル４６aとノズル４６bとによって、夫々異なる特性の波長変換部４４a,４４bで連続して覆うことができる。
【００６２】
上記第１実施の形態〜第３実施の形態においては、総てのＬＥＤチップから放出された光は、対応する波長変換部を通して、同じ目標とする発光色の光を出射させる場合を例に説明しているが、この発明はこれに限定されるものではない。
【００６３】
例えば、各ＬＥＤチップと各波長変換部との組合せから出射される光の発光色は、目的に応じて夫々異なっていてもよいし、決まった範囲で平均化されて同じ発光色となるように設計してもよい。
【００６４】
・第４実施の形態
図１０は、本実施の形態の発光装置における縦断面図である。本実施の形態における発光装置５１は、図１０に示すように、基板５２上に２個以上(本実施の形態では３個)のＬＥＤチップ５３a〜５３cが搭載されており、各ＬＥＤチップ５３a〜５３cは、夫々異なる発光色を呈している。そして、上記各ＬＥＤチップ５３a〜５３cは、夫々変換波長が同一の波長変換部５４a〜５４cで個別に覆われて、目標とする発光色の光を放射するようになっている。ここで、波長変換部５４a〜５４cは、ＬＥＤチップ５３a〜５３cから放射される特定波長成分の光を吸収して異なる波長の光を発生する蛍光体を含有している。その結果、夫々の波長変換部５４a〜５４cからは同じ目標とする発光色の光が出射されるのである。
【００６５】
図１１は、図１０に示す発光装置５１の製造方法を示す。発光装置５１の製造方法においては、先ず、図１１(a)に示すように、基板５２上に、発光特性が既知であるＬＥＤチップ５３a〜５３cを、例えばフリップチップ実装法等により実装する。次に、図１１(b)に示すように、夫々のＬＥＤチップ５３a〜５３cに対して、変換波長が同じ波長変換材５５を供給する。
【００６６】
ここで、例えば、上記ＬＥＤチップ５３bの発光色はＡ色であり、ＬＥＤチップ５３cの発光色はＢ色であり、ＬＥＤチップ５３aの発光色はＡ色とＢ色の中間色であるとする。その場合は、図１１(b)に示すように、ＬＥＤチップ５３aには、Ｂ色の波長成分を吸収してＢ色の補色(または異なる色)であるＡ色の波長成分に波長変換する蛍光体を含有する波長変換材５５を、ノズル５６aから所定量だけ供給する。また、ＬＥＤチップ５３bには、波長変換材５５をノズル５６bからＬＥＤチップ５３aの場合よりも少ない量で供給する。また、ＬＥＤチップ５３cには、波長変換材５５をノズル５６cからＬＥＤチップ５３aの場合よりも多い量で供給する。
【００６７】
そして、図１１(c)に示すように、上記ＬＥＤチップ５３aに供給された波長変換材５５は、ＬＥＤチップ５３aを所定の厚みで覆う波長変換部５４aとなる。また、ＬＥＤチップ５３bに供給された波長変換材５５は、ＬＥＤチップ５３bを上記所定の厚みよりも薄く覆う波長変換部５４bとなる。また、ＬＥＤチップ５３cに供給された波長変換材５５は、ＬＥＤチップ５３cを上記所定の厚みよりも厚く覆う波長変換部５４cとなる。こうして、ＬＥＤチップ５３a〜５３cからの発光色におけるＢ色の色味の強さに応じて、Ｂ色の波長成分を吸収してＢ色の補色(または異なる色)であるＡ色の波長成分に波長変換する蛍光体を含有する波長変換材５５の量を変えることによって、夫々の波長変換部５４a〜５４cからは同じ上記目標とする発光色の光が出射されるようにできるのである。
【００６８】
すなわち、本実施の形態においては、変換波長が同一の波長変換部５４a〜５４cの厚みを変えることによって上記特定波長成分の光の吸収量を変えて、波長変換特性を設定するのである。つまり、波長変換部５４a〜５４c波長変換特性は、含まれている蛍光体の割合を一定割合とし、ＬＥＤチップ５３a〜５３cを封止する厚みをＬＥＤチップ５３a〜５３cの発光色に応じた厚みにすることによって設定されるのである。
【００６９】
その場合、上記ＬＥＤチップ５３a〜５３cには、Ｂ色の波長成分を吸収してＢ色の補色(または異なる色)であるＡ色の波長成分に波長変換する蛍光体を含有する波長変換材５５を、夫々異なるノズル５６a〜５６cから供給するようにしている。したがって、ＬＥＤチップ５３a〜５３cにおけるＢ色の色味の強さに応じて、供給される波長変換材５５の量を変更することによって、各波長変換部５４a〜５４cの夫々から出射される光の色を上記目標とする発光色に揃えることができるのである。さらに、ＬＥＤチップ５３a〜５３cの発光色に起因する発光装置５１の不良を低減することができるのである。
【００７０】
さらに、上記ＬＥＤチップ５３a〜５３cには、変換波長が同じ波長変換材５５を供給するようにしている。したがって、上記第１実施の形態のごとく、夫々変換波長が異なる波長変換材を供給する場合に比べて、工数の低減を図り、コストダウンを図ることができるのである。
【００７１】
・第５実施の形態
図１２は、本実施の形態の発光装置における縦断面図である。本実施の形態における発光装置６１は、図１２に示すように、基板６２上に２個以上(本実施の形態では３個)のＬＥＤチップ６３a〜６３cが搭載されている。但し、本実施の形態では、上記３個のＬＥＤチップ６３a〜６３cのうちの互いに隣接する２個以上(本実施の形態では２個)のＬＥＤチップ６３a,６３bが同等の発光色であり、他の１個以上(本実施の形態では１個)のＬＥＤチップ６３cは異なる発光色を呈している。
【００７２】
そして、上記互いに隣接する２個のＬＥＤチップ６３a,６３bは変換波長が同じ波長変換部６４aによって所定の厚みで覆われて、目標とする発光色の光を放射するようになっている。また、残りの１個のＬＥＤチップ６３cは、波長変換部６４aと変換波長が同じ波長変換部６４bによって上記所定の厚みより薄く覆われて、上記目標とする発光色の光を放射するようになっている。
【００７３】
ここで、上記波長変換部６４aは、ＬＥＤチップ６３a,６３bから放射される特定波長成分の光を吸収して異なる波長の光を発生する蛍光体を含有している。また、他の波長変換部６４bも同様に、ＬＥＤチップ６３cから放射される上記特定波長成分の光を吸収して上記異なる波長の光を発生する蛍光体を含有している。その結果、波長変換部６４a,６４bからは同じ上記目標とする発光色の光が出射されるのである。
【００７４】
図１３は、図１２に示す発光装置６１の製造方法を示す。先ず、図１３(a)に示すように、基板６２上に、発光特性が既知であるＬＥＤチップ６３a〜６３cを、例えばフリップチップ実装法等によって実装する。次に、図１３(b)に示すように、ＬＥＤチップ６３aとＬＥＤチップ６３cとに対して、変換波長が同一の波長変換材６５を供給する。
【００７５】
ここで、例えば、上記ＬＥＤチップ６３cの発光色はＡ色であり、ＬＥＤチップ６３a,６３bの発光色はＡ色とＢ色との中間色であるとする。その場合には、図１３(b)に示すように、ＬＥＤチップ６３aには、Ｂ色の波長成分を吸収してＢ色の補色(または異なる色)であるＡ色の波長成分に波長変換する蛍光体を含有する波長変換材６５を、ノズル６６aから所定の厚みでＬＥＤチップ６３aを覆うように供給する。また、ＬＥＤチップ６３cには、波長変換材６５を、ノズル６６bからＬＥＤチップ６３aの場合よりも薄くＬＥＤチップ６３cを覆うように供給する。
【００７６】
次に、図１３(c)に示すように、上記ＬＥＤチップ６３cに対するノズル６６bからの波長変換材６５の供給を終了する。そして、ＬＥＤチップ６３cに供給された波長変換材６５は、ＬＥＤチップ６３cを上記所定の厚みよりも薄く覆う波長変換部６４bとなる。これに対し、波長変換材６５を供給しているノズル６６aは、そのままＬＥＤチップ６３aに隣接するＬＥＤチップ６３b側に移動される。そして、ＬＥＤチップ６３bに対して、波長変換材６５をノズル６６aから上記所定の厚みで覆うように供給する。その間、ＬＥＤチップ６３aに供給された波長変換材６５は、ＬＥＤチップ６３cを上記所定の厚みで覆う波長変換部６４aとなる。
【００７７】
次に、図１３(d)に示すように、上記ＬＥＤチップ６３bに対するノズル６６aからの波長変換材６５の供給を終了する。こうして、供給された波長変換材６５は、ＬＥＤチップ６３bを上記所定の厚みで覆う波長変換部６４aとなる。その結果、互いに隣接すると共に同等の発光色を放射するＬＥＤチップ６３aとＬＥＤチップ６３bとは、変換波長が同じ波長変換部６４aで連続して覆われることになる。
【００７８】
すなわち、本実施の形態においては、変換波長が同一の波長変換部６４a,６４bの厚みを変えることによって上記特定波長成分の光の吸収量を変えて、異なる波長変換特性を設定するのである。
【００７９】
その場合、上記ＬＥＤチップ６３a〜６３cには、Ｂ色の波長成分を吸収してＢ色の補色(または異なる色)であるＡ色の波長成分に波長変換する蛍光体を含有する波長変換材６５を、夫々異なるノズル６６a,６６bから供給するようにしている。したがって、ＬＥＤチップ６３a,６３bとＬＥＤチップ６３cとにおけるＢ色の色味の強さに応じて、供給される波長変換材６５の量を変更することにより、各波長変換部６４a,６４bの夫々から出射される光の色を上記目標とする発光色に揃えることができるのである。さらに、ＬＥＤチップ６３a〜６３cの発光色に起因する発光装置６１の不良を低減することができる。
【００８０】
さらに、互いに隣接すると共に、同等の発光色を放射するＬＥＤチップ６３aとＬＥＤチップ６３bとには、移動するノズル６６aから、波長変換材６５を連続して供給して封止するようにしている。したがって、ＬＥＤチップ６３aとＬＥＤチップ６３bとに個別に供給して封止する場合に比して、工数の低減を図ることが可能になる。
【００８１】
さらに、上記ＬＥＤチップ６３a〜６３cには、変換波長が同じ波長変換材６５を供給するようにしている。したがって、上記第２実施の形態のごとく、夫々変換波長が異なる波長変換材を供給する場合に比べて、工数の低減を図り、コストダウンを図ることができるのである。
【００８２】
尚、本実施の形態においては、同等の発光色を放射するＬＥＤチップは互いに隣接する２個のＬＥＤチップ６３a,６３bであるとして説明しているが。本実施の形態が適用できる発光装置は、これに限定されるものではない。例えば、同等の発光色を放射するＬＥＤチップとして、互いに隣接するｎ(ｎ≧２)個のＬＥＤチップとこれらとは分離したｍ個のＬＥＤチップとが在る場合に、上記互いに隣接するｎ個のＬＥＤチップは移動するノズルによって同一の波長変換材を連続して供給して封止し、分離したｍ個のＬＥＤチップは個々に上記同一の波長変換材を供給して封止してもよい。その場合、上記互いに隣接するｎ個のＬＥＤチップのうちのｎ'個は、(ｎ−ｎ')個とは別に上記同一の波長変換材を供給して封止してもよい。
【００８３】
・第６実施の形態
図１４は、本実施の形態の発光装置における縦断面図である。本実施の形態における発光装置７１は、図１４に示すように、基板７２上に２個以上(本実施の形態では３個)のＬＥＤチップ７３a〜７３cが搭載されており、各ＬＥＤチップ７３a〜７３cは、夫々異なる発光色を呈している。そして、各ＬＥＤチップ７３a〜７３cは、夫々変換波長が同じ波長変換部７４a〜７４cで連続して且つ異なる厚みで覆われて、目標とする発光色の光を放射するようになっている。ここで、波長変換部７４a〜７４cは、ＬＥＤチップ７３a〜７３cから放射される特定波長成分の光を吸収して異なる波長の光を発生する蛍光体を含有している。
【００８４】
図１５および図１６は、図１４に示す上記発光装置７１の製造方法を示す。先ず、図１５(a)に示すように、基板７２上に、発光特性が既知のＬＥＤチップ７３a〜７３cを、例えばフリップチップ実装法等によって実装する。
【００８５】
ここで、例えば、上記ＬＥＤチップ７３bの発光色はＡ色であり、ＬＥＤチップ７３cの発光色はＢ色であり、ＬＥＤチップ７３aの発光色はＡ色とＢ色の中間色であるとする。その場合には、図１５(b)に示すように、波長変換材７５を供給するノズル７６を、ＬＥＤチップ７３a側からＬＥＤチップ７３b側に移動させながら、図１５(c)に示すように、ＬＥＤチップ７３aに対して、Ｂ色の波長成分を吸収してＢ色の補色(または異なる色)であるＡ色の波長成分に波長変換する蛍光体を含有する波長変換材７５を、ノズル７６から所定の厚みでＬＥＤチップ７３aを覆うように供給する。こうして、ＬＥＤチップ７３a上を上記所定の厚みで覆う波長変換部７４aが形成される。
【００８６】
次に、上記ノズル７６が、ＬＥＤチップ７３aとＬＥＤチップ７３bとの中間位置に至ると、ノズル７６からの波長変換材７５の供給量を減少させて、図１６(d)に示すように、ＬＥＤチップ７３bに対して、波長変換材７５を上記所定の厚みよりも薄くＬＥＤチップ７３bを覆うように供給する。こうして、ＬＥＤチップ７３b上を上記所定の厚みよりも薄い厚みで覆う波長変換部７４bが形成される。
【００８７】
次に、上記ノズル７６が、ＬＥＤチップ７３bとＬＥＤチップ７３cとの中間位置に至ると、ノズル７６からの波長変換材７５の供給量を増大させて、図１６(e)に示すように、ＬＥＤチップ７３cに対して、波長変換材７５を上記所定の厚みよりも厚くＬＥＤチップ７３cを覆うように供給する。こうして、ＬＥＤチップ７３c上を上記所定の厚みよりも厚い厚みで覆う波長変換部７４cが形成される。
【００８８】
こうして、図１６(f)に示すように、ＬＥＤチップ７３a〜７３cの夫々は、変換波長が同一であって厚みが異なる波長変換部７４a〜７４cで連続して覆われる。
【００８９】
すなわち、本実施の形態においては、変換波長が同一の波長変換部７４a〜７４cの厚みを変えることによって上記特定波長成分の光の吸収量を変えて、異なる波長変換特性を設定するのである。
【００９０】
その場合、上記ＬＥＤチップ７３a〜７３cには、Ｂ色の波長成分を吸収してＢ色の補色(または異なる色)であるＡ色の波長成分に波長変換する蛍光体を含有する波長変換材７５を、同一のノズル７６から供給量を変えて供給するようにしている。したがって、ＬＥＤチップ７３a〜７３cの発光色におけるＢ色の色味の強さに応じて、供給される波長変換材７５の量を変化させることによって、各波長変換部７４a〜７４cの夫々から出射される光の色を上記目標とする発光色に揃えることができるのである。さらには、ＬＥＤチップ７３a〜７３cの発光色に起因する発光装置７１の不良を低減することができる。
【００９１】
さらに、上記総てのＬＥＤチップ７３a〜７３cに対して、ノズル７６から、波長変換材７５を量を変えて連続して供給して封止するようにしている。したがって、工数の低減を図ることが可能になる。
【００９２】
さらに、上記ＬＥＤチップ７３a〜７３cには、変換波長が同じ波長変換材７５を供給するようにしている。したがって、上記第３実施の形態のごとく、夫々変換波長が異なる波長変換材を供給する場合に比べて、工数の低減を図り、コストダウンを図ることができるのである。
【００９３】
本実施の形態における変形例として、図１７に示す発光装置８１のように、基板８２上に実装されたＬＥＤチップ８３a〜８３cのうち互いに隣接するＬＥＤチップ８３a,８３bが同等の発光色であり、他のＬＥＤチップ８３cは異なる発光色を呈している場合には、波長変換材８５を供給するノズル８６を、ＬＥＤチップ８３a側からＬＥＤチップ８３b側に移動させながら、図１８(c),図１９(d)に示すように、ＬＥＤチップ８３aおよびＬＥＤチップ８３bに対して、波長変換材８５をノズル８６から所定の厚みで覆うように供給する。こうして、ＬＥＤチップ８３aおよびＬＥＤチップ８３b上を上記所定の厚みで覆う波長変換部８４aが形成される。
【００９４】
さらに、上記ノズル８６が、ＬＥＤチップ８３bとＬＥＤチップ８３cとの中間位置に至ると、図１９(e)に示すように、ＬＥＤチップ８３cに対して、波長変換材８５をノズル８６から供給量を減少させて供給する。こうして、ＬＥＤチップ８３c上を上記所定の厚みよりも薄く覆う波長変換部８４bが形成される。
【００９５】
以上のようにして、図１９(e)に示すように、ＬＥＤチップ８３a〜８３cの夫々は、移動するノズル８６によって、変換波長が同一で厚みが異なる波長変換部８４a,８４bで連続して覆うことができる。
【００９６】
上記第４実施の形態〜第６実施の形態においては、総てのＬＥＤチップから放出された光は、対応する波長変換部を通して、同じ目標とする発光色の光を出射させる場合を例に説明しているが、これに限定されるものではない。
【００９７】
例えば、各ＬＥＤチップと各波長変換部との組合せから出射される光の発光色は、目的に応じて夫々異なっていてもよいし、決まった範囲で平均化されて同じ発光色となるように設計してもよい。
【００９８】
尚、図１５および図１６に示す発光装置７１の製造方法においては、上記移動するノズル７６から、ＬＥＤチップ７３a〜７３cの発光色におけるＢ色の色味の強さに応じて、供給量を変えて波長変換材７５を供給するようにしている。その場合、波長変換材７５の粘性が低い場合には、波長変換材７５が厚く供給された箇所から薄く供給された箇所に波長変換材７５が流れて、目的とする厚みでＬＥＤチップ７３a〜７３cを覆うことができないという問題が発生する。
【００９９】
そこで、図２０(a)に示すように、基板７２の表面におけるＬＥＤチップ７３a〜７３cの搭載箇所の周囲に浅い凹部７７を形成する。そして、ＬＥＤチップ７３aとＬＥＤチップ７３bとの間およびＬＥＤチップ７３bとＬＥＤチップ７３cとの間において凹部７７の幅を狭めて狭窄部７８a,７８bを形成し、各ＬＥＤチップ７３a〜７３cの周囲に、波長変換材７５の供給量に応じた円形の凹部７７を設ける。そして、例えばＬＥＤチップ７３aに供給された波長変換材７５がＬＥＤチップ７３bの箇所に流れ込まないようにしてもよい。その場合には、図２０(b)に示すように、各ＬＥＤチップ７３a〜７３cを波長変換部７４a〜７４cによって所望の厚みで覆うことが可能になる。
【０１００】
さらに、他の実施の形態として、図１に示す上記第１実施の形態と図１０に示す上記第４実施の形態とを併用してもよい。すなわち、例えば、上記第１実施の形態のように、ＬＥＤチップ１３aとＬＥＤチップ１３cとに波長変換材１５aと波長変換材１５bとを夫々異なるノズルから供給しても、各波長変換部１４a〜１４cの夫々から出射される光の色を目標とする発光色に揃えることができない場合には、上記第４実施の形態のように波長変換部１４a〜１４cの厚みを変化させて、各波長変換部１４a〜１４cの夫々から出射される光の色を目標とする発光色に正しく揃えるのである。
【０１０１】
また、図３に示す上記第２実施の形態と図１２に示す第５実施の形態とを併用しても、または、図５に示す上記第３実施の形態と図１４に示す第６実施の形態とを併用しても、または、図８に示す上記第３実施の形態の変形例と図１７に示す第６実施の形態の変形例とを併用しても、上記第１実施の形態と上記第４実施の形態との併用の場合と同様のことが可能になる。
【０１０２】
その場合に、何れの併用の場合においても、正確に狙いの発光色を得ることが可能である。それと共に、ＬＥＤチップの発光色に起因する発光装置の不良を低減させることができるのである。
【０１０３】
尚、上記第１実施の形態から上記第３実施の形態においては、異なる色の波長成分を吸収する２種の蛍光体を含有させて各波長変換部を構成しているが、３種以上の蛍光体を含有させても構わない。同様に、上記第４実施の形態から上記第６実施の形態においては、２種以上の蛍光体を含有させても構わない。
【０１０４】
また、上記蛍光体の一例としては、変換先の色が赤色の場合にはＣaＡlＳiＮ3:Ｅu等があり、緑色や黄色の場合にはＹＡＧ蛍光体がある。
【産業上の利用可能性】
【０１０５】
本発明は、液晶パネルを始めとするバックライトモジュールや照明機器、および、それらを搭載する電子部品,電気部品および電子機器に適用することができる。
【符号の説明】
【０１０６】
１１,２１,３１,４１,５１,６１,７１,８１…発光装置、
１２,２２,３２,４２,５２,６２,７２,８２…基板、
１３a〜１３c,２３a〜２３c,３３a〜３３c,４３a〜４３c,５３a〜５３c,
６３a〜６３c,７３a〜７３c,８３a〜８３c…ＬＥＤチップ、
１４a〜１４c,２４a,２４b,３４a〜３４c,４４a,４４b,５４a〜５４c,
６４a,６４b,７４a〜７４c,８４a,８４b…波長変換部、
１５a,１５b,２５a,２５b,３５a,３５b,４５a,４５b,５５,
６５,７５,８５…波長変換材、
１６a,１６a',１６b,１６c,１６c',２６a,２６a',２６b,２６b',３６a,３６b,
４６a,４６b,５６a,５６b,５６c,６６a,６６b,７６,８６…ノズル、
７７…凹部、
７８a,７８b…狭窄部。
【図１】
2015092519.tif 000003
【図２】
2015092519.tif 000004
【図３】
2015092519.tif 000005
【図４】
2015092519.tif 000006
【図５】
2015092519.tif 000007
【図６】
2015092519.tif 000008
【図７】
2015092519.tif 000009
【図８】
2015092519.tif 000010
【図９】
2015092519.tif 000011
【図１０】
2015092519.tif 000012
【図１１】
2015092519.tif 000013
【図１２】
2015092519.tif 000014
【図１３】
2015092519.tif 000015
【図１４】
2015092519.tif 000016
【図１５】
2015092519.tif 000017
【図１６】
2015092519.tif 000018
【図１７】
2015092519.tif 000019
【図１８】
2015092519.tif 000020
【図１９】
2015092519.tif 000021
【図２０】
2015092519.tif 000022
【図２１】
2015092519.tif 000023
【図２２】
2015092519.tif 000024